(57)【要約】    【課題】ヘッド部の挿入片部に対する払拭体の装着状態を安定化できるモップ、を提供すること。    【解決手段】払拭体と、払拭体が交換可能に装着されたヘッド部２、を備えたモップにおいて、払拭体が、表裏両面にパイルを有しており、また、ヘッド部２に装着されるための長細い装着穴を表面に有しており、ヘッド部２は、装着穴に挿入される長細い挿入片部５と、ハンドル３に連結されるハンドル部６と、挿入片部５とハンドル部６とを連結する連結部７と、を有しており、挿入片部５が、長細い本体部５１と、装着穴に挿入された際に装着穴内の入口近傍において、本体部５１から横方向に張り出した、張出部５２と、装着穴に挿入された際に装着穴内の入口近傍において、連結部７側に向けて漸次隆起した、傾斜隆起部５３と、を有している。【選択図】図４
2020044133.tif 000002
【特許請求の範囲】
【請求項１】
払拭体と、前記払拭体が交換可能に装着されたヘッド部と、を備えたモップにおいて、
前記払拭体が、表裏両面にパイルを有しており、また、前記ヘッド部に装着されるための長細い装着穴を表面に有しており、
前記ヘッド部が、前記装着穴に挿入される長細い挿入片部と、ハンドルに連結されるハンドル部と、前記挿入片部と前記ハンドル部とを連結する連結部と、を有しており、
前記挿入片部が、
長細い本体部と、前記装着穴に挿入された際に前記装着穴内の入口近傍において、前記本体部から横方向に張り出した、張出部と、を有している、
ことを特徴とするモップ。
【請求項２】
前記挿入片部が、更に、前記装着穴に挿入された際に前記装着穴内の入口近傍において、前記連結部側に向けて漸次隆起した、傾斜隆起部を、有している、
請求項１記載のモップ。
【請求項３】
前記ヘッド部が、更に、前記連結部を介して前記挿入片部とは反対側に、短片部を有しており、
前記短片部が、前記払拭体に形成されている別の装着穴に挿入されるように、設けられている、
請求項１又は２に記載のモップ。
【発明の詳細な説明】
【技術分野】
【０００１】
本発明は、払拭体と、払拭体が交換可能に装着されたヘッド部と、を有するモップに関する。
【背景技術】
【０００２】
ヘッド部の挿入片部を払拭体の装着穴に挿入することによってヘッド部に払拭体を装着したモップは、公知である。
【先行技術文献】
【特許文献】
【０００３】
【特許文献１】特許第５８２７７６７号公報
【発明の概要】
【発明が解決しようとする課題】
【０００４】
ところで、払拭体は、洗濯して繰り返し使用されるので、新品の状態から縮むことが想定されている。それ故、断面図である図１４に示されるように、払拭体１の装着穴１２に挿入される挿入片部５の幅Ｗｏは、挿入し易さを維持する観点から、装着穴１２の幅Ｗｚよりも少し小さく設定されている。
【０００５】
しかるに、幅Ｗｏが幅Ｗｚよりも小さすぎると、清掃の際に払拭体１を狭い隙間に差し込んだ場合には、断面図である図１５に示されるように、ヘッド部２の挿入片部５が装着穴１２内で軸回りに傾いてしまい、挿入片部５に対する払拭体１の装着状態が不安定となり、払拭体１による清掃が不十分となる。
【０００６】
本発明は、ヘッド部の挿入片部に対する払拭体の装着状態を安定化できるモップ、を提供することを、目的とする。
【課題を解決するための手段】
【０００７】
本発明は、払拭体と、前記払拭体が交換可能に装着されたヘッド部と、を備えたモップにおいて、前記払拭体が、表裏両面にパイルを有しており、また、前記ヘッド部に装着されるための長細い装着穴を表面に有しており、前記ヘッド部が、前記装着穴に挿入される長細い挿入片部と、ハンドルに連結されるハンドル部と、前記挿入片部と前記ハンドル部とを連結する連結部と、を有しており、前記挿入片部が、長細い本体部と、前記装着穴に挿入された際に前記装着穴内の入口近傍において、前記本体部から横方向に張り出した、張出部と、を有している、ことを特徴としている。
【発明の効果】
【０００８】
本発明のモップによれば、ヘッド部の挿入片部に対する払拭体の装着状態を安定化できるので、安定した装着状態の払拭体によって清掃を行うことができ、特に狭い隙間に対しても、安定した装着状態の払拭体によって清掃を行うことができる。
【図面の簡単な説明】
【０００９】
【図１】本発明の第１実施形態のモップを示す斜視図である。
【図２】払拭体が装着されたヘッド部を示す拡大斜視図である。
【図３】払拭体の平面図である。
【図４】ヘッド部の拡大斜視図である。
【図５】ヘッド部の拡大側面図である。
【図６】ヘッド部の平面図である。
【図７】ヘッド部の底面図である。
【図８】ロック状態の短片部の拡大斜視図である。
【図９】ロック解除された短片部の拡大一部断面側面図である。
【図１０】図２のＸ−Ｘ断面図である。
【図１１】図２のＸＩ−ＸＩ断面図である。
【図１２】本発明の別の実施形態のモップのヘッド部を示す拡大斜視図である。
【図１３】図１２のヘッド部の平面図である。
【図１４】払拭体が従来のモップのヘッド部に装着された状態を示す断面図である。
【図１５】図１４の状態からヘッド部が軸回りに傾いた状態を示す断面図である。
【発明を実施するための形態】
【００１０】
［第１実施形態］
図１は、本発明の一実施形態のモップを示す斜視図である。このモップ１０は、払拭体１と、払拭体１が交換可能に装着されたヘッド部２と、ヘッド部２に連結された長いハンドル３と、を有している。ハンドル３は、伸縮自在に構成されている。図２は、払拭体１が装着されたヘッド部２を示す拡大斜視図である。図３は、払拭体１の平面図である。なお、図２及び図３では、パイル１１の図示を省略している。払拭体１は、平面視略矩形を有する平らな部材である。払拭体１の表裏両面は、多数のパイル１１で覆われている。そして、払拭体１の表面には、払拭体１の長手方向に延びた第１装着穴１２及び第２装着穴１３が形成されている。第１装着穴１２と第２装着穴１３とは、無地部１４を介して、反対方向に延びている。第１装着穴１２の入口１２１は、布で補強されており、第２装着穴１３の入口１３１も、布で補強されている。第１装着穴１２は、第２装着穴１３よりも長い。第１装着穴１２は、平面視矩形の形態を有しており、幅Ｗｚ及び長さＬ１を有している。第２装着穴１３は、平面視矩形の形態を有しており、幅Ｗｚ及び長さＬ２を有している。
【００１１】
図４は、ヘッド部２の拡大斜視図である。図５は、ヘッド部２の拡大側面図である。図６は、ヘッド部２の平面図である。図７は、ヘッド部２の底面図である。ヘッド部２は、第１装着穴１２に挿入される長細い挿入片部５と、ハンドル３に連結されるハンドル部６と、挿入片部５とハンドル部６とを連結する連結部７と、第２装着穴１３に挿入される短片部８と、を有している。
【００１２】
挿入片部５は、長細い本体部５１と、張出部５２と、傾斜隆起部５３と、を有している。本体部５１は、幅Ｗ１及び長さＬ１を有する薄い板体である。幅Ｗ１は、従来と同様に、第１装着穴１２の幅Ｗｚより小さく設定されている。
【００１３】
張出部５２は、本体部５１の基端側（すなわち連結部７に近い側）において本体部５１から幅方向に張り出して、本体部５１の先端に向けて延在している。なお、実際には、本体部５１と張出部５２とは、一体成形されているので、境界が明確ではなく、それ故、図においては、両者の境界を仮想線（ここでは一点鎖線）で示している。張出部５２は、本体部５１の基端から長さＬ１１だけ離れた位置Ｐ１において本体部５１から幅Ｗ１１だけ張り出しており、幅Ｗ１１は、本体部５１の先端側に行くに連れて漸次減少しており、本体部５１の先端においてゼロとなっている。位置Ｐ１は、挿入片部５が第１装着穴１２に挿入された際に第１装着穴１２内の入口近傍に、相当している。幅Ｗ１１は、幅Ｗ１と合わせると、第１装着穴１２の幅Ｗｚと概ね同じとなる値に、設定されている。すなわち、張出部５２は、本体部５１と共に、第１装着穴１２を幅方向に概ね埋めている。
【００１４】
傾斜隆起部５３は、本体部５１の基端部において、基端側（すなわち連結部７側）に向けて、漸次隆起している。傾斜隆起部５３は、本体部５１の基端から長さＬ１２だけ離れた位置Ｐ２において本体部５１の表面から隆起し始め、本体部５１の基端側に行くに連れて漸次高くなっており、本体部５１の基端において高さＨ１まで隆起している。Ｌ１２＞Ｌ１１である。位置Ｐ２は、挿入片部５が第１装着穴１２に挿入された際に第１装着穴１２内の入口近傍に、相当している。高さＨ１は、挿入片部５が挿入された状態の第１装着穴１２の入口１２１が上下方向に最大に開いた場合に、傾斜隆起部５３が本体部５１と共に第１装着穴１２の入口１２１を上下方向に概ね埋める寸法に、設定されている。
【００１５】
連結部７は、ハンドル部６を挿入片部５に対して回動可能に連結している。連結部７は、挿入片部５の長さ方向に対して直交する方向に延びた横軸７１を有している。ハンドル部６は、横軸７１回りに１８０度回動するようになっている。更に、連結部７は、ハンドル部６を、回動可能状態（ロック解除状態）と回動不能状態（ロック状態）との間で変位させる、第１ロック機構を、有している。第１ロック機構は、横軸７１の両端に位置するボタン７２を押し続けると、ハンドル部６を回動可能状態とし、ボタン７２の押圧を止めると、ハンドル部６を回動不能状態とするようになっている。
【００１６】
図８は、ロック状態の短片部８の拡大斜視図である。図９は、ロック解除された短片部８の拡大一部断面側面図である。短片部８は、挿入片部５の本体部５１の、連結部７を越えた延長部５５に、横軸５５１回りに回動可能に、支持されている。横軸５５１は、挿入片部５の長さ方向に対して直交する方向に延びている。短片部８は、横軸５５１を介して、本体片８１及びロック片８２を有している。延長部５５は、短片部８を、回動可能状態（ロック解除状態）と回動不能状態（ロック状態）との間で変位させる、第２ロック機構を、有している。第２ロック機構は、ロック部５５２と、ロック部５５２の下方に位置する受部５５３と、を有している。短片部８は、図８に示されるように本体片８１が挿入片部５の本体部５１と同一面を構成するように位置した際、ロック片８２がロック部５５２と受部５５３とによって上下から挟まれた状態となり、これによって、回動不能状態となるようになっている。ロック部５５２は、連結部７側に向けて、弾性力に抗して移動可能に設けられている。よって、ロック部５５２を連結部７側に移動させると、ロック片８２を上方から挟んでいたロック部５５２が無くなるので、短片部８は、矢印Ｒ１方向へ回動可能となり、すなわちロック解除状態となり、重力によって回動して図９に示される状態となる。なお、図９の状態から、短片部８を矢印Ｒ２方向へ回動させていくと、ロック片８２が、回動しながらロック部５５２を弾性力に抗して連結部７側に移動させていき、ロック部５５２を下方へ越えると、弾性力によって元の位置に復帰したロック部５５２の下方に位置することとなり、その結果、短片部８は、図８に示されるロック状態となる。
【００１７】
上記構成のヘッド部２に対する払拭体１の装着は、次のように行う。すなわち、挿入片部５を第１装着穴１２に挿入した後、回動可能状態の短片部８を第２装着穴１３に挿入しながらロックする。
【００１８】
上記構成のヘッド部２は、次のような作用効果を奏する。
（１）図１０は、図２のＸ−Ｘ断面図である。払拭体１の第１装着穴１２内の入口１２１近傍において、挿入片部５が、図１０に示されるように、張出部５２によって、第１装着穴１２を幅方向に埋めている。これにより、挿入片部５は、第１装着穴１２内で軸回りに傾きにくくなっている。よって、挿入片部５に対する払拭体１の装着状態が安定する。
【００１９】
（２）図１１は、図２のＸＩ−ＸＩ断面図である。払拭体１の第１装着穴１２内の入口１２１近傍において、挿入片部５が、図１１に示されるように、傾斜隆起部５３によって、第１装着穴１２を上下方向に埋めている。これにより、挿入片部５は、第１装着穴１２内で軸回りに傾きにくくなっている。よって、挿入片部５に対する払拭体１の装着状態が安定する。
【００２０】
したがって、上記構成のヘッド部２を備えたモップ１０によれば、安定した装着状態の払拭体１によって清掃を行うことができ、特に狭い隙間に対しても、安定した装着状態の払拭体１によって清掃を行うことができる。よって、払拭体１を有効に使用した効率的な清掃を行うことができる。
【００２１】
［別の実施形態］
（１）張出部５２を有していれば、傾斜隆起部５３は有していなくてもよい。
【００２２】
（２）図１２に示されるように、張出部５２は、位置Ｐ１から本体部５１の長手方向に所定長さＬｘだけ、設けられてもよい。また、張出部５２の幅Ｗ１１は、漸次減少することなく設けられてもよい。図１３は、図１２のヘッド部２の平面図である。
【００２３】
（３）Ｌ１１＝Ｌ１２でもよい。又は、Ｌ１１＞Ｌ１２でもよい。
【産業上の利用可能性】
【００２４】
本発明のモップは、安定した装着状態の払拭体によって清掃を行うことができ、よって、払拭体を有効に使用した効率的な清掃を行うことができるので、産業上の利用価値が大である。
【符号の説明】
【００２５】
１  払拭体
１１  パイル
１２  第１装着穴
１２１  入口
１３  第２装着穴
１３１  入口
２  ヘッド部
５  挿入片部
５１  本体部
５２  張出部
５３  傾斜隆起部
６  ハンドル部
７  連結部
８  短片部
１０  モップ
【図１】
2020044133.tif 000003
【図２】
2020044133.tif 000004
【図３】
2020044133.tif 000005
【図４】
2020044133.tif 000006
【図５】
2020044133.tif 000007
【図６】
2020044133.tif 000008
【図７】
2020044133.tif 000009
【図８】
2020044133.tif 000010
【図９】
2020044133.tif 000011
【図１０】
2020044133.tif 000012
【図１１】
2020044133.tif 000013
【図１２】
2020044133.tif 000014
【図１３】
2020044133.tif 000015
【図１４】
2020044133.tif 000016
【図１５】
2020044133.tif 000017